【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
メッセージを送受信する複数の通信端末と、前記複数の通信端末間で送受信されるメッセージを中継する中継サーバと、を備えたメッセージ送受信システムであって、
前記中継サーバは、
前記通信端末から受信したログイン要求あるいはログアウト要求に従い、ユーザのログイン処理あるいはログアウト処理を実施するログイン／ログアウト処理手段と、
ログイン中のユーザの前記通信端末から、送信先の指定を伴うメッセージを受信した場合に、当該メッセージの送信先がログイン中であるならば、当該メッセージの送信先の前記通信端末に当該メッセージを送信するメッセージ中継手段と、
ログイン中のユーザの前記通信端末から、送信先の指定を伴うメッセージを受信した場合に、当該メッセージの送信先がログアウト中であるならば、送信先への到達状況が「未達」であることを示す状況通知を当該メッセージの送信元の前記通信端末に送信する状況通知送信手段と、
前記ログイン／ログアウト処理手段により任意のユーザが新たにログインした場合に、ログイン中の他のユーザ各々の前記通信端末に、当該新たにログインしたユーザの情報を含むログイン通知を送信するログイン通知送信手段と、を有し、
前記通信端末は、
前記中継サーバに、ユーザの指定を伴うログイン要求あるいはログアウト要求を送信して、当該ユーザを前記中継サーバにログインあるいは前記中継サーバからログアウトするログイン／ログアウト要求手段と、
ユーザにより作成された、送信先の指定を伴うメッセージを、当該送信先への到達状況とともに記憶するメッセージ記憶手段と、
前記メッセージ記憶手段に記憶されているメッセージを前記中継サーバに送信するメッセージ送信手段と、
前記メッセージ送信手段により送信されたメッセージに対する応答として、前記中継サーバから状況通知を受信する状況通知受信手段と、
前記状況通知受信手段により受信された状況通知に基づいて、前記メッセージ記憶手段に記憶されている到達状況を更新する到達状況更新手段と、
前記中継サーバから前記ログイン通知を受信した場合に、当該ログイン通知により特定されるユーザが送信先として指定され、かつ到達状況が「未達」であるメッセージを、前記メッセージ記憶手段から読み出して、当該中継サーバに送信するメッセージ再送手段と、を有する
ことを特徴とするメッセージ送受信システム。
【請求項２】
請求項１に記載のメッセージ送受信システムであって、
前記通信端末は、
前記中継サーバからメッセージを受信するメッセージ受信手段と、
前記メッセージ受信手段により受信されたメッセージが開封通知以外のメッセージである場合に、当該メッセージを受信した旨を表示するとともに、ユーザより当該メッセージの開封操作を受け付けて、当該メッセージの送信元を送信先とし、当該メッセージの指定を含む開封通知のメッセージを作成し、当該メッセージを前記メッセージ記憶手段に記憶するとともに、前記中継サーバに送信する開封通知送信手段と、
前記メッセージ受信手段により受信されたメッセージが開封通知のメッセージである場合に、当該開封通知のメッセージを表示するとともに、当該開封通知のメッセージにより特定されるメッセージに対応付けられて前記メッセージ記憶手段に記憶されている到達状況を「開封済」に更新する開封済更新手段と、をさらに有する
ことを特徴とするメッセージ送受信システム。
【請求項３】
請求項１または２に記載のメッセージ送受信システムであって、
前記中継サーバは、
ログイン中のユーザ毎に、当該ユーザが使用する前記通信端末のアドレス情報を記憶するログインユーザ情報記憶手段をさらに有し、
前記メッセージ中継手段は、
メッセージを送信する場合、当該メッセージの送信先として指定されているユーザに対応付けられて前記ログインユーザ情報記憶手段に記憶されているアドレス情報により特定される前記通信端末に、当該メッセージを送信する
ことを特徴とするメッセージ送受信システム。
【請求項４】
通信端末間で送受信されるメッセージを中継する中継サーバであって、
前記通信端末から受信したログイン要求あるいはログアウト要求に従い、ユーザのログイン処理あるいはログアウト処理を実施するログイン／ログアウト処理手段と、
ログイン中のユーザの前記通信端末から、送信先の指定を伴うメッセージを受信した場合に、当該メッセージの送信先がログイン中であるならば、当該メッセージの送信先の前記通信端末に当該メッセージを送信するメッセージ中継手段と、
ログイン中のユーザの前記通信端末から、送信先の指定を伴うメッセージを受信した場合に、当該メッセージの送信先がログアウト中であるならば、送信先への到達状況が「未達」であることを示す状況通知を当該メッセージの送信元の前記通信端末に送信する状況通知送信手段と、
前記ログイン／ログアウト処理手段により任意のユーザが新たにログインした場合に、ログイン中の他のユーザ各々の前記通信端末に、当該新たにログインしたユーザの情報を含むログイン通知を送信するログイン通知送信手段と、を有する
ことを特徴とする中継サーバ。
【請求項５】
中継サーバを介して相手端末とメッセージを送受信する通信端末であって、
前記中継サーバに、ユーザの指定を伴うログイン要求あるいはログアウト要求を送信して、当該ユーザを前記中継サーバにログインあるいは前記中継サーバからログアウトするログイン／ログアウト要求手段と、
ユーザにより作成された、送信先の指定を伴うメッセージを当該送信先への到達状況とともに記憶するメッセージ記憶手段と、
前記メッセージ記憶手段に記憶されているメッセージを前記中継サーバに送信するメッセージ送信手段と、
前記メッセージ送信手段により送信されたメッセージに対する応答として、前記中継サーバから状況通知を受信する状況通知受信手段と、
前記状況通知受信手段により受信された状況通知に基づいて、前記メッセージ記憶手段に記憶されている到達状況を更新する到達状況更新手段と、
前記中継サーバから、新たにログインしたユーザの情報を含むログイン通知を受信した場合に、当該ログイン通知により特定されるユーザが送信先として指定され、かつ送信先への到達状況が「未達」であるメッセージを、前記メッセージ記憶手段から読み出して、当該中継サーバに送信するメッセージ再送手段と、を有する
ことを特徴とする通信端末。
【請求項６】
通信端末間で中継サーバ経由でメッセージを送受信されるメッセージ送受信方法であって、
前記中継サーバは、
ログイン中のユーザの前記通信端末からメッセージを受信した場合、当該メッセージの送信先がログイン中ならば、当該送信先の前記通信端末に当該メッセージを送信し、当該メッセージの送信先がログアウト中ならば、送信先への到達状況が「未達」であることを示す状況通知を当該メッセージの送信元の前記通信端末に送信し、
前記通信端末から受信したログイン要求に従い当該通信端末のユーザのログインを許可した場合、既にログイン中の各ユーザの前記通信端末に、当該ログイン要求元のユーザが新たにログインしたことを知らせるログイン通知を送信し、
ログイン中のユーザの前記通信端末は、
送信先の指定を伴うメッセージを前記中継サーバに送信して、当該メッセージに対する応答として前記中継サーバから前記状況通知を受信し、当該メッセージを、当該状況通知によって特定される送信先への到達状況に対応付けて管理し、
到達状況「未達」に対応付けられているメッセージの送信先がログインしたことを示すログイン通知を前記中継サーバから受信した場合、当該メッセージを前記中継サーバに送信する
ことを特徴とするメッセージ送受信方法。
【手続補正２】
【補正対象書類名】明細書
【補正対象項目名】０００８
【補正方法】変更
【補正の内容】
【０００８】
例えば、本発明のメッセージ送受信システムは、メッセージを送受信する複数の通信端末と、前記複数の通信端末間で送受信されるメッセージを中継する中継サーバと、を備えたメッセージ送受信システムであって、
前記中継サーバは、
前記通信端末から受信したログイン要求あるいはログアウト要求に従い、ユーザのログイン処理あるいはログアウト処理を実施するログイン／ログアウト処理手段と、
ログイン中のユーザの前記通信端末から、送信先の指定を伴うメッセージを受信した場合に、当該メッセージの送信先がログイン中であるならば、当該メッセージの送信先の前記通信端末に当該メッセージを送信するメッセージ中継手段と、
ログイン中のユーザの前記通信端末から、送信先の指定を伴うメッセージを受信した場合に、当該メッセージの送信先がログアウト中であるならば、送信先への到達状況が「未達」であることを示す状況通知を当該メッセージの送信元の前記通信端末に送信する状況通知送信手段と、
前記ログイン／ログアウト処理手段により任意のユーザが新たにログインした場合に、ログイン中の他のユーザ各々の前記通信端末に、当該新たにログインしたユーザの情報を含むログイン通知を送信するログイン通知送信手段と、を有し、
前記通信端末は、
前記中継サーバに、ユーザの指定を伴うログイン要求あるいはログアウト要求を送信して、当該ユーザを前記中継サーバにログインあるいは前記中継サーバからログアウトするログイン／ログアウト要求手段と、
ユーザにより作成された、送信先の指定を伴うメッセージを、当該送信先への到達状況とともに記憶するメッセージ記憶手段と、
前記メッセージ記憶手段に記憶されているメッセージを前記中継サーバに送信するメッセージ送信手段と、
前記メッセージ送信手段により送信されたメッセージに対する応答として、前記中継サーバから状況通知を受信する状況通知受信手段と、
前記状況通知受信手段により受信された状況通知に基づいて、前記メッセージ記憶手段に記憶されている到達状況を更新する到達状況更新手段と、
前記中継サーバから前記ログイン通知を受信した場合に、当該ログイン通知により特定されるユーザが送信先として指定され、かつ到達状況が「未達」であるメッセージを、前記メッセージ記憶手段から読み出して、当該中継サーバに送信するメッセージ再送手段と、を有する。